(57)【要約】【課題】撮影補助装置は、主に三脚であるが、体育館２階など狭い場所での使用は、周りに迷惑となりまた、真下部分を撮影するのは、不可能であった。【解決手段】手摺りに取り付けられる撮影補助装置を作成する。それは、2つの回転軸をもち、そのうちひとつが任意の半径上を回転することでビデオカメラが手摺りより飛び出し真下付近の撮影も可能とした。【選択図】図１
2005077995.tif 000002
【特許請求の範囲】
【請求項１】
ビデオカメラ用架台を手摺りに取り付けられるようにし、回転軸を2つ設けそのうちのひとつを任意の長さの半径を中心に回転する回転軸としたことですばやい動きや、手摺り下の撮影しにくい部位においてもビデオ撮影を容易にすることを特徴とするビデオカメラなどの撮影補助装置。    
【請求項２】
前記架台は、三脚上部にも取り付けられ、運動会など左右の撮影範囲の広い撮影にも容易に対応できることを特徴とする請求項１記載のビデオカメラなどの撮影補助装置。    
【請求項３】
前記架台は、最初から三脚に付加することも可能である事を特徴とする請求項１記載のビデオカメラなどの撮影捕縄装置。
【発明の詳細な説明】
【技術分野】
【０００１】
この発明は、ビデオ撮影に用いる撮影補助装置に関する。
【背景技術】
【０００２】
従来のビデオ撮影に用いる撮影補助装置は、図５に示すように、三脚が主である。     
【発明の開示】
【発明が解決しようとする課題】
【０００３】
しかしながら、以上の技術によれば、三脚を広げたスペースが必要となり、体育館2階など狭いスペースでの三脚使用は、周りに迷惑となる。
また、手摺りぎりぎりに三脚を固定してもビデオカメラ本体は、三脚本体の中心、つまり手摺りよりも約20ｃｍ以上も内側となり、体育館の真下を撮影することは、不可能であった。
【０００４】
また、陸上などグラウンド撮影においては、三脚使用により、安定した撮影が可能であるが，左右の動きの大きい撮影は、被写体の動きに合わせ三脚支軸を中心に撮影者が体の向きを変えなければならなかった。
【０００５】
この発明は、ビデオカメラなどの撮影補助装置を工夫することで、狭いスペースにも設置でき周りに迷惑をかけず、しかも真下の撮影も可能とする専用のビデオカメラなどの撮影補助装置を提供することを課題とする。
また、ビデオカメラなどの撮影補助装置を三脚上に設置することで、グラウンド上での撮影もさらにスムーズな撮影を可能とするビデオカメラなどの撮影補助装置を提供する事を課題とする。
【０００６】
また、三脚にもいろいろな種類があり、1種類のビデオカメラなどの撮影補助装置では、対応しきれないことを考えると、最初から三脚に純正のビデオカメラなどの撮影補助装置を組み込むことで、コンパクト化及び簡便さを提供することを課題とする。
【課題を解決するための手段】
【０００７】
以上の課題を解決するために、第一発明は、専用架台を手摺りに固定し、回転軸を2つ設けそのうちひとつの回転軸を任意の半径を中心に３６０度回る回転軸としたことを特徴とするビデオカメラなどの撮影補助装置である。  
【０００８】
また、第二発明は、三脚にも取り付けられることを特徴とするビデオカメラなどの撮影補助装置である。また、第三発明は、最初から三脚のセットと考え、三脚本体にビデオカメラなどの撮影補助装置の一部が、収納できることを特徴とするビデオカメラなどの撮影補助装置である。
【発明の効果】
【０００９】
第一発明によれば、ビデオカメラを手摺りにビデオカメラなどの撮影補助装置を介して設置することで、狭い部位に設置でき周りの人に迷惑をかけず、また、回転軸を2つ設け、そのうちひとつの回転軸を任意の半径とした円周を架台を中心に３６０度回転することで被写体の速い動きに容易に対応でき、またビデオカメラが、手摺りより飛び出すことにより、真下の撮影も可能とした。
【００１０】
第二発明によれば、ビデオカメラなどの撮影補助装置を三脚に設置することで、運動会など左右への範囲の広い撮影にも撮影者が体を移動させることなく、液晶画面の視認が容易となった。
第三発明によれば、三脚のセットとしてビデオカメラなどの撮影補助装置を組み込んだことで未使用時は、コンパクトに収納できることを可能とした。
【発明を実施するための最良の形態】
【００１１】
この発明の一実施形態を、図１に示す。また、各パーツを図２に示す。
図２によれば、ビデオカメラなどの撮影補助装置の１〜５で万力部分２３を構成しており、３は金属製のシャフト、手摺り把持上部１・手摺り把持下部２はプラスチック製で、湾曲歯型２８は、固定性と丸い手摺りも考慮し、中央部分が緩やかにくぼんだゴム製が望ましい。
Ｌ字ボルト４は、手摺把持上部１を金属製シャフト３へ固定するためのボルト、手締め用ナット５は金属ナットを手で締めやすいようにプラスチックで保護してある。そして、シャフト３の末端がネジ２９になっている。
【００１２】
万力部分２３の固定方法として、まず手摺把持上部１をＬ字ボルト４で固定し、手締め用ナット５にて手摺把持下部２を締め付けることで、手摺り２０に万力部分２３が固定される。
万力部分２３を手摺り２０より取り外す場合、その逆の工程を行なうが、誤ってＬ字ボルト４を先に緩めると反対の手で金属製シャフト３を保持していない場合、金属製シャフト３が手摺り把持下部２、手締め用ナット５ごと足元に落ちる可能性があり危険である。
【００１３】
そこで、手摺把持上部１には、ツバ６が手摺り把持上部１に対してわずかな角度を形成していることで、金属製シャフト３がつば６に引っかかり、金属製シャフト３落下の歯止めとなる。このため、ツバ６は、弾力、強度を考え弾性金属製の板とする。
ツバ６を取り付けたことで実際の万力部分の取り外し方法は、手締めナット５を緩めツバ６を押さえながら金属製シャフト３を２、５ごと下に引き抜く。
【００１４】
ビデオカメラなどの撮影補助装置のアーム部シャフト３挿入側７、アーム部中央８、アーム部支柱１０挿入側９は空洞で組立合体することで図２のようなアーム部分２４となる。アーム部分７にシャフト３を挿入、アーム部９へビデオ本体固定部を取り付けたビデオカメラ架台取り付け支柱１０を挿入する。
丸で囲んだビデオカメラ設置操作部１５は、既存の三脚２６からビデオカメラ取り付けアダプター１１を図３で示すように三脚付属ビデオカメラ架台取り付け部１６より取り外しできれば一体として代用できる。この場合、ビデオカメラ架台取り付け支柱１０にビデオカメラ架台取り付けアダプター１１を取り付けるため三脚付属ビデオカメラ架台取り付け部１６と同様のネジを切る必要がある。
完成型が図１のビデオカメラなどの補助装置２５となる。
【００１５】
第二発明における実施形態を図３に示す。図３によればビデオカメラ架台取り付けアダプター１１から先を取り外したあとの三脚付属ビデオカメラ架台取付部１６に万力部分２３をのぞいたアーム部分２４のアーム部シャフト３挿入側７を被せることで、完成する。
【００１６】
第三発明における実施形態を図４に示す。図４によれば架台取り付け部１６の内側にアダプター１１と一体型の１０が収納されかつ、その内腔に架台取り付け部１６の下側から金属シャフト３が、収納される。これにより、１６からアダプター１１を取り外し支柱１０へ付け替えるといった操作が不要となり、三脚から、ビデオカメラ架台一体化１７が取り出され、ビデオカメラなどの撮影補助装置への変換が容易となる。また、残りの三脚に収納できない部品１８だけとなり、コンパクト化が図れる。
【００１７】
「実施形態の効果」  
図１の実施形態によれば、金属製シャフト３を軸にアームが３６０度回転する回転軸２２によりアーム部を半径とした長さの2倍（直径）分ビデオカメラが回転移動することができ、さらに通常のビデオカメラ設置部の支柱１０を軸に３６０度回転する回転軸２２で、カメラ本体が回転移動する。これらにより常に被写体の左右への動きに容易に対応できる。
また、手摺り２０よりアーム分、カメラ本体が外に飛び出し、また操作レバー１３を緩め上下角度を調節することで真下の撮影も可能となる。      
【００１８】
「他の実施形態」  
図２の実施形態では、ビデオカメラ設置操作部１５は、三脚本来についているものを利用するとあるが、三脚の種類により、ビデオカメラ架台取り付けアダプター１１の形状も各種ありビデオカメラ架台取り付け支柱１０の形状を対応させる必要があることを考えると、他の実施形態では、三脚に最初からビデオカメラなどの撮影補助装置が付属してもよい。その場合、１０〜１４までが、ビデオカメラ架台一体化１７でき組み立てが容易となる。
【図面の簡単な説明】
【００１９】
【図１】この発明の一実施形態を示す斜視図である。
【図２】この発明の各パーツと組み立てを示す斜視図である。
【図３】この発明を三脚に取り付けた実施形態を示す斜視図である。
【図４】この発明が、最初から三脚とセットとし、収納を考えた斜視図である。
【図５】従来技術を示す斜視図である。
【符号の説明】
【００２０】
１  手摺り把持上部
２  手摺り把持下部
３  金属製シャフト
４  Ｌ字ボルト
５  手締め用ナット
６  つば        
７  アーム部シャフト３挿入側  
８  アーム部中央    
９  アーム部支柱１０挿入側  
１０  ビデオカメラ架台取り付け支柱  
１１  ビデオカメラ架台取り付けアダプター    
１２  ビデオカメラ取り付け部    
１３  操作レバー  
１４  アダプター１１取り付けボルト  
１５  ビデオカメラ設置操作部  
１６  三脚付属ビデオカメラ架台取り付け部
１７  ビデオカメラ架台一体化      
１８  三脚に収納できない部品  
２０  手摺り  
２１  回転軸Ａ    
２２  回転軸Ｂ  
２３  万力部分  
２４  アーム部分  
２５  ビデオカメラなどの撮影補助装置
２６  三脚  
２７  ビデオカメラ  
２８  湾曲歯型  
２９  金属シャフト末端ネジ
【図１】
2005077995.tif 000003
【図２】
2005077995.tif 000004
【図３】
2005077995.tif 000005
【図４】
2005077995.tif 000006
【図５】
2005077995.tif 000007
【手続補正書】
【提出日】平成15年9月8日(2003.9.8)
【手続補正１】
【補正対象書類名】特許請求の範囲
【補正対象項目名】請求項３
【補正方法】変更
【補正の内容】
【請求項３】
前記架台は，最初から三脚に付加することも可能である事を特徴とする請求項１記載のビデオカメラなどの撮影補助装置
【手続補正２】
【補正対象書類名】明細書
【補正対象項目名】００１７
【補正方法】変更
【補正の内容】
【００１７】
「実施形態の効果」  図１の実施形態によれば、金属製シャフト３を軸にアームが３６０度回転する回転軸Ａ２１によりアーム部を半径とした長さの２倍（直径）分ビデオカメラが回転移動することができ、さらに通常のビデオカメラ設置部の支柱１０を軸に３６０度回転する回転軸Ｂ２２で、カメラ本体が回転移動する。これらにより常に被写体の左右への動きに容易に対応できる。
また、手摺り２０よりアーム分、カメラ本体が外に飛び出し、また操作レバー１３を緩め上下角度を調節することで真下の撮影も可能となる。